(57)【特許請求の範囲】
【請求項１】
高エネルギー衝突誘導解離法−ＭＳ／ＭＳ（ＣＩＤ−ＭＳ／ＭＳ）を用いて含窒素有機化合物の構造解析を行うに際して、構造解析すべき含窒素有機化合物の末端に、試薬を用いて次式（Ｉ）：
【化１】
0004873801.tif 000019
で示されるスクアリル酸残基を導入させた後、高エネルギー衝突誘導解離法−ＭＳ／ＭＳ（ＣＩＤ−ＭＳ／ＭＳ）によりチャージリモートフラグメンテーション（ＣＲＦ）を誘起させ、誘起されたチャージリモートフラグメンテーション（ＣＲＦ）を解析することを特徴とする、当該含窒素有機化合物の構造解析方法。
【請求項２】
含窒素有機化合物が、ペプチド類、ペプチドエステル類、ポリアミン類、ポリアミンエーテル類または分子末端にアミノ基を有する鎖状もしくは環状有機化合物である請求項１に記載の方法。
【請求項３】
高エネルギー衝突誘導解離法−ＭＳ／ＭＳ（ＣＩＤ−ＭＳ／ＭＳ）を用いて含窒素有機化合物の構造解析を行うに際して、高エネルギー衝突誘導解離法−ＭＳ／ＭＳ（ＣＩＤ−ＭＳ／ＭＳ）によりチャージリモートフラグメンテーション（ＣＲＦ）を誘起させるために、当該含窒素有機化合物の末端に、次式（Ｉ）：
【化２】
0004873801.tif 000020
で示されるスクアリル酸残基を導入させるための試薬が、次式（ＩＩ）：
【化３】
0004873801.tif 000021
）（式中、Ｒ１およびＲ２は、同一または異なって、水素原子、低級アルキル基、アルケニル基、アリール基またはアラルキル基を表わす）
で示されるスクアリル酸誘導体、または次式（ＩＩＩ）：
【化４】
0004873801.tif 000022
（式中、Ｒ３は水素原子、低級アルキル基、アルケニル基、アリール基またはアラルキル基を表わし、Ｒ４はアミノ基の保護基を表わし、ｎは１または２の整数を表わす）
で示されるスクアリルアミノ酸誘導体である、請求項１に記載の方法。
【請求項４】
高エネルギー衝突誘導解離法−ＭＳ／ＭＳ（ＣＩＤ−ＭＳ／ＭＳ）を用いて含窒素有機化合物の構造解析を行うに際して、高エネルギー衝突誘導解離法−ＭＳ／ＭＳ（ＣＩＤ−ＭＳ／ＭＳ）によりチャージリモートフラグメンテーション（ＣＲＦ）を誘起させるために、当該含窒素有機化合物の末端に、次式（Ｉ）：
【化５】
0004873801.tif 000023
で示されるスクアリル酸残基を導入させる試薬であって、次式（ＩＩ）：
【化６】
0004873801.tif 000024
）（式中、Ｒ１およびＲ２は、同一または異なって、水素原子、低級アルキル基、アルケニル基、アリール基またはアラルキル基を表わす）
で示されるスクアリル酸誘導体、または次式（ＩＩＩ）：
【化７】
0004873801.tif 000025
（式中、Ｒ３は水素原子、低級アルキル基、アルケニル基、アリール基またはアラルキル基を表わし、Ｒ４はアミノ基の保護基を表わし、ｎは１または２の整数を表わす）
で示されるスクアリルアミノ酸誘導体である試薬。
【発明の詳細な説明】
【０００１】
【発明の属する技術分野】
本発明は、高エネルギー衝突誘導解離法−ＭＳ／ＭＳ（ＣＩＤ−ＭＳ／ＭＳ；Ｈｉｇｈ−ｅｎｅｒｇｙ  Ｃｏｌｌｉｓｉｏｎ−Ｉｎｄｕｃｅｄ  Ｄｉｓｓｏｃｉａｔｉｏｎ−Ｍａｓｓ／Ｍａｓｓ  Ｓｐｅｃｔｒｏｍｅｔｒｙ）により、有機化合物の構造解析を行う方法に関し、詳細には、含窒素有機化合物について、チャージリモートフラグメンテーションを生じさせる方法、ならびにそれに使用する試薬に関する。
【０００２】
【従来の技術】
化学構造式が未知あるいは推定される有機物質について、その構造解析と同定化を行う手段として、種々の物理化学的方法が採用されている。例えば、最もオーソドックスな手段としては、対象となる有機化合物についての赤外線吸収スペクトル（ＩＲ）、プロトンあるいは炭素核磁気共鳴スペクトル（１Ｈ−あるいは１３Ｃ−ＮＭＲ）、質量分析法（ＭＳ）、Ｘ−線結晶回折等を行い、得られたデータを解析し、その化学構造式の決定、同定等が行われている。
【０００３】
このような構造解析手段は、科学の進歩とともに、著しい発展を遂げてきており、例えば、含窒素有機化合物としてのペプチド類の高度な構造決定法としてＭＳ／ＭＳ法が多用されてきている。このＭＳ／ＭＳ法においては、一般的には、エレクトロスプレー（ＥＳＩ；Ｅｌｅｃｔｒｏｓｐｒａｙ  Ｉｏｎｉｚａｔｉｏｎ）法や、マトリックス支援レーザー脱離イオン化（ＭＡＬＤＩ；Ｍａｔｒｉｘ−Ａｓｓｉｓｔｅｄ  Ｌａｓｅｒ  Ｄｅｓｏｒｐｔｉｏｎ／Ｉｏｎｉｚａｔｉｏｎ）といったイオン化法に、中性分子で分子開裂を生じさせる衝突誘導解離（ＣＩＤ；Ｃｏｌｌｉｓｉｏｎ−Ｉｎｄｕｃｅｄ  Ｄｉｓｓｏｃｉａｔｉｏｎ）や、ポストソースディケイ（ＰＳＤ；Ｐｏｓｔ−Ｓｏｕｒｃｅ  Ｄｅｃａｙ）を組み合わせた方法である。
【０００４】
ＭＳ／ＭＳスペクトルは、高感度であること、混合物でも測定が可能であるという利点を有していることより、ペプチドの一次配列決定法として広く用いられている方法である。しかし、多くの場合、観測されるフラグメントイオン（開裂イオン）は、例えばペプチド類の場合には、アミド結合で開裂したイオンピークが入り混じり、その構造解析を複雑なものとしている。また、ペプチドを構成するアミノ酸残基に対応した分子量差の情報を得ることはできても、例えば異性体の関係にあるロイシン（Ｌｅｕ）とイソロイシン（Ｉｌｅ）の区別をつけることは困難なものとなっている。さらには、分子量が同じグルタミン（Ｇｌｎ）とリジン（Ｌｙｓ）の判別を行うことも困難なものである。
【０００５】
また、アルギニン（Ａｒｇ）やリジン（Ｌｙｓ）を多く含むペプチド類にあっては、アミノ酸構造の中に他の塩基性基、具体的にはグアニジン基あるいはアミノ基をさらに有しているため、この方法によると、チャージサイトが分散化することとなり、その結果複雑なスペクトルを与え、構造解析をさらに困難なものとしている。
【０００６】
最近になって、これらの問題点を解決する解析方法として、高エネルギー衝突誘導解離法（ＣＩＤ；Ｈｉｇｈ−ｅｎｅｒｇｙ  Ｃｏｌｌｉｓｉｏｎ−Ｉｎｄｕｃｅｄ  Ｄｉｓｓｏｃｉａｔｉｏｎ）により得られる、チャージリモートフラグメンテーション（ＣＲＦ；Ｃｈａｒｇｅ−Ｒｅｍｏｔｅ  Ｆｒａｇｍｅｎｔａｔｉｏｎ）を利用するＭＳ／ＭＳ解析が注目されてきている。
【０００７】
すなわちこのＣＲＦは、例えばペプチド類の分子末端、特にＮ−末端にスルホン酸残基を導入するか、あるいはＮ−末端を第４級アンモニウム塩残基として極性官能基を保持させ（チャージさせ）、一段目のＭＳで分子関連イオンを選択し、引き続き、強制的なフラグメンテーション化、すなわち、高エネルギー衝突誘導解離（ＣＩＤ）を行うと、チャージリモートフラグメンテーション（ＣＲＦ）が二段目のＭＳで観測されることを特徴としている。
【０００８】
ここで観測されるＣＲＦは、分子末端に存在するスルホン酸基あるいは第４級アンモニウム塩等の極性官能基の遠方から、極性官能基に向かって開裂が規則的に生じることを特徴としている。
【０００９】
このＣＲＦが観測される基本的な開裂様式を、下記の模式的な化学式で示す。すなわち開裂は、極性官能基の遠方の方からａ，ｂ，ｃ，ｄ，ｅ，ｆの様式で生じ、それに対応するフラグメントイオンのピークが特徴的に観測されることとなる。
【００１０】
【化６】
0004873801.tif 000002
【００１１】
この方法は、両側からの断片化がともに観測される前記した低エネルギーでのフラグメンテーションに比較して、精度の高い構造情報が得られるものであり、これまでにポリアミン類あるいはマイトトキシに代表されるポリエーテル有機分子などの長鎖有機化合物の微量構造解析に、絶大な威力を発揮している方法である。
【００１２】
かかる構造解析法をペプチド構造の解析に応用させるためには、ペプチドのＮ−末端にスルホン酸残基のような極性官能基を選択的に導入するか、あるいはそのＮ−末端を第４級アンモニウム塩残基等に変換してやらなければならない。しかしながら、ペプチド類を構成するアミノ酸には、アルギニン（Ａｒｇ）やリジン（Ｌｙｓ）を始めアミノ酸分子内部に他の塩基性官能基を有するものが存在する。例えば、ブラジキニン、β−アラニン、オルニチン、ジアミノプロピオン酸などは、側鎖にアミノ基を有しており、これら化合物のＮ−末端のみを選択的にスルホン化、あるいは第４級アンモニウム化することは困難な状態にある。
【００１３】
【発明が解決しようとする課題】
本発明は、上記の問題点を鑑み、上記の高エネルギー衝突誘導解離法−ＭＳ／ＭＳ（ＣＩＤ−ＭＳ／ＭＳ）を用いて含窒素有機化合物の構造解析を行う場合に際して、効果的にチャージリモートフラグメンテーション（ＣＲＦ）を生じさせる方法、それに使用する試薬、ならびにＣＲＦを誘起させることによる有機化合物の解析方法を提供することを課題とする。
【００１４】
【課題を解決するための手段】
かかる課題を解決するための請求項１に記載の本発明は、高エネルギー衝突誘導解離法−ＭＳ／ＭＳ（ＣＩＤ−ＭＳ／ＭＳ）によりチャージリモートフラグメンテーション（ＣＲＦ）を誘起させる方法において、含窒素有機化合物の末端に、次式（Ｉ）：
【００１５】
【化７】
0004873801.tif 000003
【００１６】
で示されるスクアリル酸残基を導入させて行うことを特徴とする方法である。
【００１７】
すなわち、本発明はＣＩＤ−ＭＳ／ＭＳ法により規則性のあるチャージリモートフラグメンテーション（ＣＲＦ）を誘起するためには、長鎖分子の末端に、強酸性あるいは強塩基性の極性官能基の存在させることが必須となるが、この極性官能基として、強酸性と芳香族性を併せもつ、前記式（Ｉ）で示されるスクアリル酸残基を、極性官能基として使用する点に特徴を有するものである。
【００１８】
本発明者らの検討によれば、前記式（Ｉ）で示されるスクアリル酸残基の基本となるスクアリル酸は、硫酸と有機カルボン酸のちょうど中間であるトリフルオロ酢酸に匹敵する強酸性を有しており、このスクアリル酸残基を含窒素有機化合物の末端に導入すること（スクアリル化すること）により、ＣＩＤ−ＭＳ／ＭＳ法で、規則性のあるＣＲＦを誘導することが確認された。かかるスクアリル酸残基を分子末端に導入することによるＣＲＦ誘導への応用例は、これまで文献未記載であり、本発明者らによって最初に行われたものである。
【００１９】
したがって、請求項３に記載の本発明は、また別の態様として、高エネルギー衝突誘導解離法−ＭＳ／ＭＳ（ＣＩＤ−ＭＳ／ＭＳ）によりチャージリモートフラグメンテーション（ＣＲＦ）を誘起させるために、含窒素有機化合物の末端に、次式（Ｉ）：
【００２０】
【化８】
0004873801.tif 000004
【００２１】
で示されるスクアリル酸残基を導入させるための試薬である。
【００２２】
より具体的な請求項４に記載の発明は、上記の式（Ｉ）で示されるスクアリル酸残基を導入するための試薬が、次式（ＩＩ）：
【００２３】
【化９】
0004873801.tif 000005
【００２４】
（式中、Ｒ１およびＲ２は、同一または異なって、水素原子、低級アルキル基、アルケニル基、アリール基またはアラルキル基を表わす）
で示されるスクアリル酸誘導体からなる試薬である。
【００２５】
例えば、分子末端にアミノ基を有する含窒素有機化合物の場合には、この式（ＩＩ）で示されるスクアリル酸誘導体を使用し、当該化合物と直接反応させることにより、効率良く、分子末端のアミノ基に、式（Ｉ）で示されるスクアリル酸残基を導入することができるものである。
【００２６】
また、含窒素有機化合物の末端に式（Ｉ）で示されるスクアリル酸残基を導入させる手段としては、スクアリル酸残基を有する化合物を純有機合成化学的手法により結合させて行うこともできる。そのための具体的な請求項５に記載の発明は、式（Ｉ）で示されるスクアリル酸残基を導入するための試薬が、次式（ＩＩＩ）：
【００２７】
【化１０】
0004873801.tif 000006
【００２８】
（式中、Ｒ３は水素原子、低級アルキル基、アルケニル基、アリール基またはアラルキル基を表わし、Ｒ４はアミノ基の保護基を表わし、ｎは１または２の整数を表わす）
で示されるスクアリルアミノ酸誘導体からなる試薬である。
【００２９】
またさらに本発明は、ＣＩＤ−ＭＳ／ＭＳにより規則性のあるＣＲＦを誘起させることからなる、有機化合物の構造解析方法を提供するものでもあり、そのための具体的な請求項６に記載の本発明は、含窒素有機化合物の分子末端に次式（Ｉ）：
【００３０】
【化１１】
0004873801.tif 000007
【００３１】
で示されるスクアリル酸残基を導入させ、ＣＩＤ−ＭＳ／ＭＳにより、ＣＲＦを誘起させることからなる有機化合物の構造解析方法である。
【００３２】
すなわち、ＣＩＤ−ＭＳ／ＭＳ法により規則性のあるチャージリモートフラグメンテーション（ＣＲＦ）を誘起させるためには、解析対象となる含窒素有機化合物の分子末端に、式（Ｉ）で示されるスクアリル酸残基を導入させることを特徴とする。
【００３３】
そのための式（Ｉ）で示されるスクアリル酸残基の導入方法としては、より具体的には、解析対象となる含窒素有機化合物の分子末端にスクアリル酸残基を直接導入するか、あるいはスクアリル酸残基を有する化合物を有機化学的に結合させることにより行われる。
【００３４】
したがって本発明は、別の態様として、かかる有機化合物の構造解析方法において、スクアリル酸残基の導入方法をも提供するものであり、より具体的な請求項７に記載の発明は、請求項６に記載の有機化合物の構造解析方法において、含窒素有機化合物の分子末端にスクアリル酸残基を導入させるために、請求項４に記載の式（ＩＩ）で示されるスクアリル酸誘導体を使用する、当該有機化合物の構造解析方法である。
【００３５】
さらにまた請求項８に記載の本発明は、請求項６に記載の有機化合物の構造解析方法において、含窒素有機化合物の分子末端にスクアリル酸残基を導入させるために、請求項５に記載の式（ＩＩＩ）で示されるスクアリルアミノ酸誘導体を使用する、当該有機化合物の構造解析方法である。
【００３６】
【発明の実施の形態】
本発明が目的とするＣＩＤ−ＭＳ／ＭＳにより、ＣＲＦを誘起させることからなる含窒素有機化合物の構造解析方法に使用しうる化合物としては、その分子末端にアミノ基を有する化合物があげられ、具体的には、アミノ酸類似構造を有する化合物、ペプチド類、ペプチドエステル類、ポリアミン類、ポリアミンエーテル類または分子末端にアミノ基を有する鎖状もしくは環状有機化合物である。
【００３７】
これらの化合物は、天然由来の構造未知の化合物であっても、さらに化学構造式が既に確定しているあるいは推定されている化合物であってもよい。また、有機化合物として分子内に本来的に末端アミノ基を有している化合物でなくても、化学合成的に分子末端にアミノ基を導入し、変換させた化合物であってもよい。要は、ＣＩＤ−ＭＳ／ＭＳにより、ＣＲＦを誘起させ得る末端アミノ基を有する化合物に、本発明の方法または試薬等を適用することができ、そのＣＲＦを確認することで化学構造式の確定を行うことができるのである。
【００３８】
なお、本発明で使用する含窒素有機化合物としては、末端アミノ基以外に、分子内にグアニジン、芳香族および脂肪族アルコール、チオール、インドール、イミダゾール、アミンなどの求核性基を有していてもよい。スクアリル酸残基の導入は、これら官能基と反応することなく、末端アミノ基へのみ導入が行い得るものである。
【００３９】
本発明で使用する上記の式（Ｉ）で示されるスクアリル酸残基の導入は、基本的には、以下の２方法により行うことができる。すなわち第１の方法としては、含窒素有機化合物に、上記した式（ＩＩ）で示されるスクアリル酸誘導体を反応させることにより、直接スクアリル酸残基を導入させることにより行われる。具体的には、例えば、側鎖にアミノ基が存在しない含窒素有機化合物の場合には、弱塩基性条件下に、式（ＩＩ）で示されるスクアリル酸誘導体を直接作用させることにより、目的とするスクアリル酸残基が導入される。
【００４０】
なおこの場合において、末端アミノ基以外に側鎖アミノ基を有する化合物、たとえば、ペプチド構成アミノ酸としてリジン、β−アラニン、オルニチン、ジアミノプロピオン酸などが存在する場合には、エドマン分解法あるいは本発明者らが開発したエドマン分解法に準じた新エドマン分解法を組み合わせることによってこれらアミノ基をフェニルチオウレア化（例えばリジンの場合にはチオカルバメート化）等で保護した後、スクアリル酸誘導体を作用させることで、末端アミノ基にスクアリル酸残基を選択的に導入することができる。
【００４１】
第２の方法としては、例えば、含窒素有機化合物に、スクアリル酸残基を有する化合物を、純有機化学的に結合させ、目的とするスクアリル酸残基が分子末端部分に導入された化合物へ誘導する方法である。具体的には、式（ＩＩＩ）で示されるスクアリルアミノ酸誘導体を使用して、有機化学的に分子末端に式（Ｉ）で示されるスクアリル酸残基を有する化合物へ誘導する方法である。
【００４２】
この第２の方法は、分子末端に式（ＩＩＩ）で示されるスクアリルアミノ酸誘導体と化学的に結合し得る置換基を有する化合物に応用することができる。そのような置換基としては、アミノ基、水酸基、ハロゲン原子、カルボン酸基等を挙げることができる。なお、分子末端にアミノ基を有するペプチド類、ペプチドエステル類、ポリアミン類、ポリアミンエーテル類にあっては、上記の第１の方法による式（ＩＩ）で示されるスクアリル酸誘導体を用いた直接スクアリル酸残基の導入以外に、この第２の方法によるスクアリル酸残基の導入も可能であり、また効果的な場合もある。
【００４３】
したがって、本発明は、ＣＩＤ−ＭＳ／ＭＳにより、ＣＲＦを効果的に誘起させるために、含窒素有機化合物の末端アミノ基に、上記式（Ｉ）で示されるスクアリル酸残基を導入するための、式（ＩＩ）で示されるスクアリル酸誘導体、あるいは式（ＩＩＩ）で示されるスクアリルアミノ酸誘導体からなる、スクアリル酸残基導入試薬でもある。
【００４４】
上記の本発明のスクアリル酸残基導入試薬である式（ＩＩ）のスクアリル酸誘導体を使用するスクアリル酸残基の導入の反応条件は、具体的には、例えば、適当な溶媒を用い、ｐＨが中性〜８程度の条件下に、スクアリル酸残基を導入するべき含窒素有機化合物と、式（ＩＩ）で示されるスクアリル酸誘導体からなる試薬を反応させることにより、効果的に目的とする末端アミノ基にスクアリル酸残基が導入された化合物を得ることができる。
【００４５】
本発明の試薬となる式（ＩＩ）で示されるスクアリル酸誘導体との反応に使用する溶媒としては、目的とする反応に直接の影響を与えない溶媒であればどのようなものでも使用することができ、例えば水、緩衝液、有機溶媒あるいはそれらの混合溶媒等を使用することができる。有機溶媒としては、ジオキサン、テトラヒドロフラン等のエーテル系溶媒が好ましく使用される。また緩衝水溶液としては、ｐＨが中性〜８程度を有する適当な緩衝液、例えばリン酸緩衝液を挙げることができる。
【００４６】
この場合、反応条件を種々制御することにより、アミノ基のみの選択的なスクアリル化が行われることが判明した。例えば、ブラジキニンにあっては、アミノ基はＮ−末端のみならず、Ｃ−末端にもグアニジン基のアミノ基が存在するが、反応ｐＨを適宜調整することにより、Ｃ−末端グアニジン基のアミノ基にはスクアリル酸残基は全く導入されていないものであった。
【００４７】
したがって、本発明が提供するＣＩＤ−ＭＳ／ＭＳにより、ＣＲＦを効果的に誘起させるために、含窒素有機化合物の末端アミノ基をスクアリル化するための式（ＩＩ）で示されるスクアリル酸誘導体からなる、スクアリル酸残基導入試薬は、極めて有用性の高い反応試薬であるといえる。
【００４８】
この場合の式（ＩＩ）で示されるスクアリル酸誘導体における置換基「Ｒ１」および「Ｒ２」における低級アルキル基は、炭素原子数１〜５程度の直鎖状あるいは分子鎖状のアルキル基であり、より具体的には、メチル、エチル、ｎ−プロピル、ｉｓｏ−プロピル、ｎ−ブチル、ｓｅｃ−ブチル、ｔｅｒｔ−ブチル、ペンチル基等が挙げられる。そのなかでもメチル基あるいはｔｅｒｔ−ブチルであるものが特に好ましい。
【００４９】
また、アルケニル基としては、アリル基、プロペニル基等が挙げられ、アリール基としては、フェニル、トルイル、ハロゲノフェニル、ニトロフェニル等の置換または未置換フェニル基があげられ、さらにアラルキル基としてはベンジル基、フェネチル基等が挙げられる。
【００５０】
上記の置換基「Ｒ１」と「Ｒ２」は、それぞれ同一であっても、また互いに異なっていてもよい。その中でも、置換基「Ｒ１」および「Ｒ２」の組み合わせとして、メチル基またはｔｅｒｔ−ブチル基の組み合わせであるものが、特に好ましいものである。
【００５１】
本発明の式（ＩＩ）で示されるスクアリル酸誘導体のなかで置換基「Ｒ１」および「Ｒ２」がともにメチル基である化合物は市販されており、これを出発化合物として他の置換基を有するスクアリル酸誘導体を得ることができる。
【００５２】
さらに別の方法として、例えば、Ｓｙｎｔｈｅｔｉｃ  Ｃｏｍｍｕｎｉｃａｔｉｏｎ：２７（１２）、２１７７−２１８０に記載の方法に準じて合成することもできる。
【００５３】
一方、本発明の別のスクアリル酸残基導入試薬である式（ＩＩＩ）で示されるスクアリルアミノ酸誘導体を使用してスクアリル酸残基を導入する場合には、純有機化学的な合成手段を用いて行うことができる。例えば、分子末端にアミノ基を有する含窒素有機化合物に対して、一般的なペプチド合成手法を採用し、式（ＩＩＩ）で示されるスクアリルアミノ酸誘導体を反応させた後、保護基等が存在する場合には、当該保護基を除去することにより、目的とするスクアリル酸残基が導入された化合物を得ることができる。
【００５４】
この場合の式（ＩＩＩ）で示されるスクアリルアミノ酸誘導体における置換基「Ｒ３」としての低級アルキル基は、炭素原子数１〜５程度の直鎖状あるいは分子鎖状のアルキル基であり、より具体的には、メチル、エチル、ｎ−プロピル、ｉｓｏ−プロピル、ｎ−ブチル、ｓｅｃ−ブチル、ｔｅｒｔ−ブチル、ペンチル基等が挙げられる。そのなかでもメチル基あるいはｔｅｒｔ−ブチルであるものが特に好ましい。
【００５５】
アルケニル基としては、アリル基、プロペニル基等が挙げられ、アリール基としては、フェニル、トルイル、ハロゲノフェニル、ニトロフェニル等の置換または未置換フェニル基があげられ、さらにアラルキル基としてはベンジル基、フェネチル基等が挙げられる。
【００５６】
また、置換基「Ｒ４」のアミノ基の保護基としては、一般的に使用されるアミノ基の保護基を意味し、具体的には、アシル基、ベンジル基、アルコキシカルボニル基、アルキルスルホニル基またはアリールスルホニル基等を挙げることができる。より具体的には、アシル基としては、アセチル基、トリフルオロアセチル基、プロピオニル基等の低級脂肪酸残基、置換または非置換のベンゾイル基等を挙げることができる。アルコキシカルボニル基としてはｔ−ブトキシカルボニル（Ｂｏｃ）を、アルキルスルホニル基としてはメタンスルホニル基を、またアリールスルホニル基としてはトルエンスルホニル基、ｐ−トルエンスルホニル基等を挙げることができる。
【００５７】
なお、これらのスクアリルアミノ酸誘導体は、例えば、Ｏｒｇａｎｉｃ  Ｌｅｔｔｅｒｓ：１（１０）、１６６３−１６６６（１９９９）に記載の方法に準じて合成することができる。
【００５８】
なお、前記した如く、ペプチド分子内に側鎖アミノ基を有する化合物であるリジンが存在する場合には、スクアリル化するチャージサイトが複数存在することとなるので、本発明の試薬を反応させる前に、エドマン分解法を組み合わせることによって、リジンの側鎖アミノ基をフェニルチオカルバミン化して保護するとともに、末端アミノ酸を開裂除去させ、２番目のアミノ酸の遊離アミノ基をスクアリル化する手段を採用し、効果的にＣＲＦを生じさせることができる。
【００５９】
すなわち、リジンが存在する場合には、フェニルイソチオシアネートによりリジン側鎖のアミノ基をフェニルチオカルバミン化して保護するとともに、末端アミノ酸のアミノ基もフェニルイソチオシアネートとのカップリング反応によりフェニルチオカルバミン化される。ついで、トリフルオロ酢酸の処理により、フェニルチオカルバミン化した末端アミノ酸は、環化・切断反応することにより、フェニルチオヒダントインとして除去され、その結果、当初のペプチド結合における２番目のアミノ酸がＮ−末端アミノ酸となるが、リジン側鎖のフェニルチオカルバミン化されたアミノ基はそのまま保護されている。
【００６０】
したがってこの段階では、スクアリル化されるチャージサイトは、新たなＮ−末端アミノ基のみとなっていることより、本発明の試薬をその段階で反応させれば、当該アミノ基のみが選択的にスクアリル化され、効果的なＣＲＦを生じさせることができることとなる。
【００６１】
ところで古典的なエドマン分解法にあっては、例えばフェニルイソチオシアネートを用いてカップリング反応を行なわれている。したがって、かかる古典的なエドマン分解法を実施した場合には、ペプチド分子内に存在するリジンの側鎖アミノ基は、通常フェニルチオカルバミン化されている。しかしながら、側鎖アミノ基が多い化合物では、フェニルチオカルバミン化すると極性基がブロックされてイオン化率が悪くなり、この状態で末端アミノ基をスクアリル化してＣＲＦを誘起させても、所望の規則的なフラグメンテーションが生じたものの、その誘発はそれほど効果的でないことが判明した。
【００６２】
そこで本発明者らは、より効果的なＣＲＦを誘起させるために、エドマン分解法において使用するフェニルイソチオシアネートに替えて、次式（ＩＶ）：
【００６３】
【化１２】
0004873801.tif 000008
【００６４】
（式中、Ｒ５は極性の高い置換基を表わす）
で示されるフェニル基のパラ位に極性置換基を導入したフェニルイソチオシアネートを用いたエドマン分解法（新エドマン分解法）を行った。その結果、トリフルオロ酢酸の処理により、末端アミノ酸は、環化・切断反応することにより除去され、当初のペプチド結合における２番目のアミノ酸がＮ−末端アミノ酸となる一方で、リジン側鎖のアミノ基は、上記の式（ＩＶ）によりｐ−置換フェニルチオカルバミン化されているが、かかるパラ位の置換基の極性によりイオン化効率が高まり、きわめて効果的にＣＲＦが生じることを確認した。
【００６５】
そのような「Ｒ５」の置換基としては、グアニジル基、グアニジノメチル基、アニジノ基、アミジノメチル基等を挙げることができ、なかでもフェニル基のパラ位にグアニジノメチル基を導入したフェニルイソチオシアネートが好結果を与えた。したがって、本発明はまた別の態様として、リジン等を含有するペプチドにおける新エドマン分解法を提供するものでもある。
【００６６】
【実施例】
以下に本発明を、個々の実施例を説明することにより、詳細に説明するが、本発明の範囲はこれらのみに限定されず、種々の応用もまた本発明の範囲内であることに注意すべきである。
【００６７】
実施例１：スクアリル化試薬の調製［式（ＩＩ）Ｒ１＝メチル、Ｒ２＝ｔｅｒｔ−ブチルである試薬の合成］
【００６８】
【化１３】
0004873801.tif 000009
【００６９】
ジメチルスクアリン酸エステル（３．０ｇ、２１．１ｍｍｏｌ）のテトラヒドロフラン溶液（５０ｍｌ）を０℃まで冷却し、カリウムｔｅｒｔ−ブトキサイド（２．４ｇ、２１．４ｍｍｏｌ）のテトラヒドロフラン溶液（２０ｍｌ）を攪拌しながら滴下した。１５分後、１Ｎ塩酸水溶液を加えて反応液を酸性として、ジエチルエーテルにて抽出した。抽出液を洗浄後、乾燥を行い、シリカゲルカラムクロマトグラフィーにて精製（溶出溶媒：ヘキサン／酢酸エチル＝５：１）して、白色結晶として目的物を１．５ｇ（収率：３９％）得た。
【００７０】
同様にして、以下の試薬を合成した。
【化１４】
0004873801.tif 000010
【００７１】
実施例２：アンジオテンシン−Ｉのスクアリル化と、ＣＩＤ−ＭＳ／ＭＳ解析
【００７２】
【化１５】
0004873801.tif 000011
【００７３】
５０ｎｍｏｌのアンジオテンシン−Ｉ（１）の２００μｌ  ０．１Ｍリン酸緩衝液（ｐＨ８）に、上記実施例１で得たｔｅｒｔ−ブチル、メチルスクアリン酸エステル（２）５００ｎｍｏｌのジオキサン５０μｌ溶液を加え、室温下に２日間攪拌を行った。反応液を高速液体クロマトグラフィー（ＨＰＬＣ）にて精製し、Ｎ−末端がスクアリル化されたアンジオテンシン−Ｉ（３）を主生成物として得た。なお副生成物としてｔｅｒｔ−ブチル基が残存し、かつ水和したと考えられる化合物が、ＭＡＬＤＩ・ＭＳスペクトルから確認された。
【００７４】
得られた、Ｎ−末端がスクアリル化されたアンジオテンシン−Ｉ（３）をＣＩＤ−ＭＳ／ＭＳ解析に付した。その結果得られたシークエンスイオンピークのチャート図を図１に示した。
図中に示したチャート図からも判明するように、規則的なＣＲＦが生じていることが理解される。
【００７５】
実施例３：ブラジキニンのスクアリル化と、ＣＩＤ−ＭＳ／ＭＳ解析
【００７６】
【化１６】
0004873801.tif 000012
【００７７】
５０ｎｍｏｌのブラジキニン（４）の２００μｌ  ０．１Ｍリン酸緩衝液（ｐＨ８）に、上記実施例１で得たｔｅｒｔ−ブチル、メチルスクアリン酸エステル（２）５００ｎｍｏｌのジオキサン５０μｌ溶液を加え、室温下に２日間攪拌を行った。反応液を高速液体クロマトグラフィー（ＨＰＬＣ）にて精製し、Ｎ−末端がスクアリル化されたブラジキニン（５）を得た。
【００７８】
得られたＮ−末端がスクアリル化されたブラジキニン（５）をＣＩＤ−ＭＳ／ＭＳ解析に付した。その結果得られたシークエンスイオンピークのチャート図を図２に示した。
図中に示したチャート図からも判明するように、規則的なＣＲＦが生じていることが理解される。
【００７９】
実施例４：エンケファリン類縁化合物のスクアリル化と、ＣＩＤ−ＭＳ／ＭＳ解析
【００８０】
【化１７】
0004873801.tif 000013
【００８１】
オピオイドペプチドの一種であるエンケファリン（Ｔｙｒ−Ｇｌｙ−Ｇｌｙ−Ｐｈｅ−Ｌｅｕ）の類縁化合物としてＧｌｙ−Ｇｌｙ−Ｐｈｅ−Ｌｅｕ（６）を選択し、この化合物へのスクアリル化とＣＩＤ−ＭＳ／ＭＳ解析を検討した。
【００８２】
式（ＩＩＩ）で示されるスクアリルアミノ酸誘導体［Ｒ３＝ｉ−Ｐｒ；Ｒ４＝Ｃｂｚ（ベンジルオキシカルボニル）］である化合物（７）２０６ｍｇ（０．５４８ｍｍｏｌ）および化合物（６）１３２ｍｇ（０．２７４ｍｍｏｌ）をジクロロメタン５ｍｌに溶解させ、この溶液に攪拌下、１−ヒドロキシベンゾトリアゾール９３ｍｇ（０．６８５ｍｍｏｌ）、ベンゾトリアゾール−１−イルオキシ−トリス（ジメチチルアミノ）ホスホニウムヘキサフルオロホスフェート３０３ｍｇ（０．６８５ｍｍｏｌ）およびジイソプロピルエチルアミン１０７ｍｇ（０．８２２ｍｍｏｌ）を氷冷下に加えた。反応液を室温に昇温させ、１２時間攪拌した。次いで、反応液を１Ｎ塩酸水溶液で酸性とした後、酢酸エチルにて２回抽出した。有機層を飽和炭酸水素ナトリウム水溶液、次いで飽和食塩水にて洗浄した後、無水硫酸マグネシウムにて乾燥した。溶媒を減圧留去して、得られた残留物をシリカゲルカラムクロマトグラフィー（酢酸エチル／ヘキサン＝１：１〜１：０）に付して分離精製し、Ｎ−末端にスクアリル基含有のＧｌｙ−Ｇｌｙ−Ｐｈｅ−Ｌｅｕ（Ｂｚｌ）を、淡黄色油状物質として１１３ｍｇ（４９％）得た。
【００８３】
[α]１６Ｄ：−２．５°（ｃ＝０．９３、ＣＨＣｌ３）
ＨＲＭＳ（ＦＡＢ）：ｍ／ｚ（Ｃ４５Ｈ５４Ｎ５Ｏ１１）：計算値８４０．３８２０(Ｍ＋Ｈ)＋；実測値：８４０．３８２０
【００８４】
次いで上記で得られた、Ｎ−末端にスクアリル基を含有するＧｌｙ−Ｇｌｙ−Ｐｈｅ−Ｌｅｕ（Ｂｚｌ）３３ｍｇ（０．０３９３ｍｍｏｌ）を３０％臭化水素酸／酢酸の混合液３ｍｌに加え、室温で２時間攪拌した。反応液を減圧留去して、得られた残留物をＣｏｓｍｏｓｉｌ（登録商標）を用いたカラムクロマトグラフィー（水／メタノール＝２：１〜１：１）に付して分離精製し、目的とするＮ−末端にスクアリル基を含有した化合物（８）を、淡黄色油状物質として１３ｍｇ（６０％）得た。
【００８５】
[α]１９Ｄ：＋２３．５°（ｃ＝４．０、Ｈ２Ｏ）
ＨＲＭＳ（ＦＡＢ）：ｍ／ｚ（Ｃ２７Ｈ３６Ｎ５Ｏ９）：計算値５７４．２５１２(Ｍ＋Ｈ)＋；実測値：５７４．２５１４
【００８６】
得られたＮ−末端にスクアリル基を有する化合物（８）をＣＩＤ−ＭＳ／ＭＳ解析に付した。その結果得られたフラグメントイオンピークのチャート図を図３に示した。図中の結果からも明らかなように、フラグメントイオンピークのチャート上に規則的なＣＲＦが生じていることが判明する。
【００８７】
実施例５：フィラントトキシン類縁化合物のスクアリル化と、ＣＩＤ−ＭＳ／ＭＳ解析
【００８８】
【化１８】
0004873801.tif 000014
【００８９】
ハチ毒のフィラントトキシン（ＰｈＴＸ）は、ポリアミン構造を有するグルタミン酸受容体の非競合型遮断薬である。この類縁化合物として生体ポリアミンの一種であるスペルミンを選択し、この化合物へのスクアリル化とＣＩＤ−ＭＳ／ＭＳ解析を検討した。
【００９０】
（ａ）スクアリルアミノ酸誘導体（１３）の合成
【００９１】
【化１９】
0004873801.tif 000015
【００９２】
文献公知の化合物（９）６２９ｍｇ（１．０９ｍｍｏｌ）のメタノール溶液に、１０％パラジウム−炭素（１００ｍｇ）および酸無水物（１０）２００ｍｇを加え、水素ガス雰囲気下に１時間攪拌した後、触媒を濾別した。濾液を減圧下に濃縮して、得られた混合物をシリカゲルカラムクロマトグラフィー（酢酸エチル／ヘキサン＝０：１〜１：１）に付して分離精製し、化合物（１１）を淡黄色油状物質として５３３ｍｇ（９３％）得た。
【００９３】
次いで、得られた化合物（１１）のジクロロメタン溶液に、１２Ｎ塩酸水溶液の１０μｌを氷冷下に攪拌しながら加えた。室温に昇温後１．５時間攪拌した。反応終了後、飽和炭酸水素ナトリウム水溶液で中和し、酢酸エチルで抽出した。有機層を飽和食塩水で洗浄後、無水硫酸マグネシウムにて乾燥し、溶媒を留去した。残留物をシリカゲルカラムクロマトグラフィー（酢酸エチル／ヘキサン＝０：１〜１：１）に付して分離精製し、化合物（１２）を淡黄色油状物質として４３５ｍｇ（９２％）得た。
【００９４】
上記で得られた化合物（１２）のジクロロメタン溶液に、トリフルオロ酢酸を氷冷下、攪拌しながら加えた。室温に昇温後１．５時間攪拌し、反応液を減圧下に濃縮し、得られた濃縮物をジクロロメタンに溶解し、攪拌下トリエチルアミンを加えた。反応溶液を減圧下濃縮して、化合物（１３）［式（ＩＩＩ）：Ｒ３＝ｉ−Ｐｒ；Ｒ４＝ｎ−ＢｕＣＯ］を得た。本化合物（１３）は精製することなくそのまま次の反応に付した。
【００９５】
（ｂ）スペルミンのスクアリル化とＣＩＤ−ＭＳ／ＭＳ解析
【００９６】
【化２０】
0004873801.tif 000016
【００９７】
上記で得た化合物（１３）をジクロロメタンに溶解し、１−ヒドロキシベンゾトリアゾール２０５ｍｇ（１．５２ｍｍｏｌ）、ベンゾトリアゾール−１−イルオキシ−トリス（ジメチチルアミノ）ホスホニウムヘキサフルオロホスフェート６７６ｍｇ（１．５２ｍｍｏｌ）、ジイソプロピルエチルアミン２９５ｍｇ（２．２８ｍｍｏｌ）および化合物（１４）３８１ｍｇ（０．７６１ｍｍｏｌ）を氷冷下に、攪拌しながら順次加えた。反応液を室温に昇温させ、２０時間攪拌した。反応終了後、酢酸エチルにて抽出し、有機層を飽和炭酸水素ナトリウム水溶液、１Ｎ塩酸水溶液、飽和食塩水で洗浄後、無水硫酸マグネシウムで乾燥した。溶媒を減圧留去して、得られた残留物をシリカゲルカラムクロマトグラフィー（酢酸エチル／ヘキサン＝１：１〜１：０）に付して分離精製し、淡黄色油状物質を４５３ｍｇ（７５％）得た。
【００９８】
次いで、上記で得られた淡黄色油状物質をアセトン１ｍｌに溶解し、１Ｎ塩酸水溶液１ｍｌを加え室温にて２時間攪拌した。溶媒を留去して、目的とするスクアリル基が導入された化合物（１５）を２５０ｍｇ（９６％）得た。
【００９９】
得られた化合物（１５）をＣＩＤ−ＭＳ／ＭＳ解析に付した。その結果得られたフラグメントイオンピークのチャート図を図４に示した。
図中に示したチャート図からも判明するように、規則的なＣＲＦが生じていることが理解される。特に本実施例におけるスペルミンの場合には、ポリアミンメチレン鎖の間隔が、−Ｃ３−Ｃ４−Ｃ３−であるか、あるいは、−Ｃ４−Ｃ３−Ｃ３−であるかという、配列の区別が問題となるが、この区別を行い得る一次構造情報が得られていることが判明している。
【０１００】
実施例６：マストパランに対するエドマン分解ならびにスクアリル化と、ＣＩＤ−ＭＳ／ＭＳ解析
【０１０１】
【化２１】
0004873801.tif 000017
【０１０２】
（ａ）エドマン分解
マストパラン（１６）２０ｎｍｏｌのエタノール：トリエチルアミン：水＝７：１：１の混合溶液２００μｌに、フェニルイソチオシアネート（１７）溶液２０μｌを加え、窒素ガス気流下に５０℃にて１０分間加熱した。反応終了後、反応内容物を減圧乾燥し、次いで水１００μｌおよびヘプタン：酢酸エチル＝１０：１の混合溶液４００μｌを加え、攪拌した後、遠心分離を行った。上層の有機層を捨て、下層の水層を得た。得られた水層に対し再びヘプタン：酢酸エチル＝１０：１の混合溶液４００μｌを加え、攪拌した後遠心分離を行い、上清の有機層を捨て、水層を得た。さらにこの水層に対してヘプタン：酢酸エチル＝２：１の混合溶液４００μｌを加え、攪拌した後遠心分離を行い、上清の有機層を捨て、水層を得た。得られた水層を減圧乾燥後、トリフルオロ酢酸１０μｌを加え、窒素ガス気流下に５０℃にて３分間加熱した後減圧乾燥し、エドマン分解生成物を得た。
【０１０３】
（ｂ）スクアリル化とＣＩＤ−ＭＳ／ＭＳ解析
上記で得られたエドマン分解生成物に、そのまま０．１Ｍリン酸緩衝液（ｐＨ８）４０μｌを加え、上記実施例１で得たｔｅｒｔ−ブチル、メチルスクアリン酸エステル（２）４００ｎｍｏｌのジオキサン４０μｌ溶液を加え、室温下に２日間攪拌を行った。加熱後、トリフルオロ酢酸２０μｌを加えて５０℃にて６分間加熱し、減圧乾燥し、マストパランのＮ−末端のアミノ酸であるイソロイシン（Ｉｌｅ）が開裂除去され、２番目のアスパラギン（Ａｓｎ）のアミノ基がスクアリル化された生成物（１８）を得た。
【０１０４】
得られた生成物（１８）をＣＩＤ−ＭＳ／ＭＳ解析に付したところ、規則的なＣＲＦが生じているものの、このものでは構造解析には不十分であることが判明した。
【０１０５】
実施例７：Ｆｃ−５５に対する新エドマン分解ならびにスクアリル化と、ＣＩＤ−ＭＳ／ＭＳ解析
【０１０６】
【化２２】
0004873801.tif 000018
【０１０７】
（ａ）新エドマン分解
マダカスカル産サソリ由来のペプチドであるＦｃ−５５（１９）１０ｎｍｏｌのエタノール：トリエチルアミン：水＝７：１：１の混合溶液１０μｌに、ジボックグアニジルメチルフェニルイソチオシアネート（２０）８００ｎｍｏｌのジオキサン溶液１μｌを加え、窒素ガス気流下に５０℃にて５分間加熱した。反応終了後、反応内容物を減圧乾燥し、次いで水２０μｌおよびヘプタン：酢酸エチル＝１０：１の混合溶液２００μｌを加え、攪拌した後、遠心分離を行った。上層の有機層を捨て、下層の水層を得た。得られた水層に対し再びヘプタン：酢酸エチル＝１０：１の混合溶液２００μｌを加え攪拌した後遠心分離を行い、上層の有機層を捨て、水層を得た。さらに、ヘプタン：酢酸エチル＝２：１の混合溶液２００μｌを加え攪拌した後遠心分離を行い、上層の有機層を捨て、水層を得た。得られた水層を減圧乾燥後、トリフルオロ酢酸１０μｌを加え、窒素ガス気流下に５０℃にて３分間加熱した後減圧乾燥し、エドマン分解物を得た。
【０１０８】
（ｂ）スクアリル化とＣＩＤ−ＭＳ／ＭＳ解析
上記で得られたエドマン分解物に、リン酸緩衝液（ｐＨ＝８）８μｌを加え、上記実施例１で得たｔｅｒｔ−ブチル、メチルスクアリン酸エステル（２）５０μｌのジオキサン２μｌ溶液を加え、室温下に４時間攪拌した。乾燥後ＦＣ−５５のＮ−末端であるイソロイシン（Ｉｌｅ）が開裂除去され、二番目のロイシン（Ｌｅｕ）のアミノ基がスクアリル化された化合物（２１）を得た。
【０１０９】
得られた化合物（２１）をＣＩＤ−ＭＳ／ＭＳ解析に付した。得られたシークエンスイオンピークのチャート図の結果から、新エドマン分解法を用いることにより、リジン側鎖のアミノ基がｐ−グアニジルメチルフェニルチオカルバミン化されているおり、このパラ位のグアニジルメチル基の極性によりイオン化効率が高まり、極めて明瞭である規則的なＣＲＦが生じていることが観測された。
【０１１０】
なお、その他の生理活性ペプチド等も同様に、本発明の実施例１で得た試薬を反応させることにより、Ｎ−末端がスクアリル化され対応化合物が調製され、そのＣＩＤ−ＭＳ／ＭＳ解析の結果、規則性のあるＣＲＦが生じていることが確認された。なお、断片化は、ｓｐ３炭素間で起こり、ｓｐ２性を有するアミド結合や、芳香の切断は、ほとんど観測されなかった。
【０１１１】
【発明の効果】
高エネルギー  ＣＩＤにより得られるチャージリモートフラグメント（ＣＲＦ）を利用するＭＳ／ＭＳ解析法は、開裂様式ならびに断片化様式が一定である利点から、長鎖有機分子の精度の高い一次構造情報を与えるものである。ＣＲＦを誘起するためには、長鎖分子の末端に、強酸性あるいは強塩基性の極性官能基の存在が必須である。
【０１１２】
本発明は、強酸性と芳香族性とを併せもつ複合ユニットとして、医薬品、光学材料の原料として利用されているスクアリン酸ジエステル類が、ＣＩＤ−ＭＳ・ＭＳ法による、含窒素有機化合物の構造解析の試薬として新たに利用できることを確認したものであり、今後複雑な含窒素系有機化合物の構造解析に、多大な威力を発揮するものである。
【０１１３】
本発明の方法によれば、超微量のサンプルによる構造解析が可能であり、特にピコモルレベルでのサンプルによる構造解析が可能である。この点は、天然界には極微量の生理活性物質が存在するが、これまでその化学構造の解析は、超微量であることより極めて困難なものであったが、本発明の方法を応用することにより簡単にその構造が解析され得る。したがって本発明は、今後の微量生理活性物質の検索とその構造解析に、多大な光明を与えるものである。
【図面の簡単な説明】
【図１】実施例２で行ったスクアリル化したアンジオテンシン−ＩのＣＩＤ−ＭＳ／ＭＳ解析によるＣＲＦチャート図である。
【図２】実施例３で行ったスクアリル化したブラジキニンのＣＩＤ−ＭＳ／ＭＳ解析によるＣＲＦチャート図である。
【図３】実施例４で行ったスクアリル化したエンケファリン類縁化合物のＣＩＤ−ＭＳ／ＭＳ解析によるＣＲＦチャート図である。
【図４】実施例５で行ったスクアリル化したフィラントトキシン類縁化合物のＣＩＤ−ＭＳ／ＭＳ解析によるＣＲＦチャート図である。
【図１】
0004873801.tif 000026
【図２】
0004873801.tif 000027
【図３】
0004873801.tif 000028
【図４】
0004873801.tif 000029